(57)【要約】【課題】構造が簡単で異物の引き込みを防止でき、万一引き込まれた場合でも異物を損傷させにくいエレベータ安全装置を提供する。【解決手段】スライド型の戸と出入口柱との間の隙間への異物の引込みを防ぐエレベータ安全装置において、出入口側で戸に近い側の出入口柱の角部に、出入口対向面に沿って戸に向かって延びた可撓性板状突出部を備えたゴム等の軟質材を設けた。戸の開方向後縁に隙間を大きくする切欠溝を設けることもできる。【効果】構造が簡単で異物の引き込みを防止でき、万一引き込まれた場合でも異物を損傷させにくい。【選択図】図５
2009166920.tif 000002
【特許請求の範囲】
【請求項１】
スライド型の戸によって開閉される出入口開口において出入口柱と戸との間の隙間に異物が引き込まれるのを防ぐためのエレベータ安全装置において、
出入口側で戸に近い側の出入口柱の角部に軟質材を設けたことを特徴とするエレベータ安全装置。
【請求項２】
上記角部が、戸に面する戸対向面と、出入口開口に面する出入口対向面と、これら両対向面間に設けられ戸との間に異物を引き込む隙間を形成する角部であり、
上記軟質材が、上記出入口対向面に沿って上記戸に向かって延びた可撓性板状突出部を備えていることを特徴とする請求項１に記載のエレベータ安全装置。
【請求項３】
上記軟質材が、上記可撓性板状突出部と、上記出入口対向面に平行に取り付けられて上記可撓性板状突出部を支持する基体部とを備えたことを特徴とする請求項１あるいは２に記載のエレベータ安全装置。
【請求項４】
上記軟質材が、上記突出部に中空管状部を持っていることを特徴とする請求項１乃至３のいずれか一項に記載のエレベータ安全装置。
【請求項５】
上記戸対向面が、上記角部において、少なくとも上記軟質材の上記可撓性突出部の撓みを許容する切欠部を備えていることを特徴とする請求項１乃至４のいずれか一項に記載のエレベータ安全装置。
【請求項６】
上記戸の開方向に見て後縁に上記隙間を大きくする切欠溝が設けられていることを特徴とする請求項１乃至５のいずれか一項に記載のエレベータ安全装置。
【発明の詳細な説明】
【技術分野】
【０００１】
本発明はエレベータ安全装置に関し、特にスライド型の戸によって開閉される出入口開口において出入口柱と戸との間の隙間に異物が引き込まれるのを防ぐためのエレベータ安全装置に関するものである。
【背景技術】
【０００２】
従来の異物の引き込みを防止をするエレベータ安全装置としては、例えば光電センサにより検出用空間内の障害物を検出してかごドアの開動作を停止させることにより、障害物がかごドアと出入口の縦枠との間の隙間に異物が挟まれるのを防ぐものが知られている（例えば特許文献１参照）。
【０００３】
また、別の従来のエレベータの安全装置は、エレベータの三方枠の扉との間に隙間を形成する角部に柱状の切り欠き部を設け、切り欠き部内に、柱状の可動部材を弾性支持して設けたものである。弾性部材は、可動部材に外力が加わったときに、隙間の長さが可変するように三方枠に対して可動部材を水平方向に弾性支持するものである。このエレベータの安全装置によれば、可動部材がかご扉との間の隙間を狭めるように移動することにより、かご扉と三方枠との間に異物が引き込まれることを防止することができる。
（例えば特許文献２参照）。
【０００４】
【特許文献１】特公平７−１０６８６７号公報
【特許文献２】特開２００６−２５６７６１号公報
【発明の開示】
【発明が解決しようとする課題】
【０００５】
このような従来のエレベータ安全装置に於いては、異物を検出して戸開動作を停止あるいは反転させる安全装置は、能動的装置であるので構成が複雑であり、機能を維持するためには頻繁な保守点検が必要である。
【０００６】
また、弾性支持された可動部材により隙間を狭める安全装置は、扉と可動部材との間の隙間が狭まるため、硬い可動部材と扉との間に異物が一旦挟み込まれてしまうと、抜き出すことが容易ではない。
【０００７】
従ってこの発明の目的は、構成が簡単で異物の引き込みを防止でき、万一引き込まれた場合でも異物を損傷させるおそれのないエレベータ安全装置を提供することである。
【課題を解決するための手段】
【０００８】
この発明のエレベータ安全装置は、スライド型の戸によって開閉される出入口開口において出入口柱と戸との間の隙間に異物が引き込まれるのを防ぐためのエレベータ安全装置において、出入口側で戸に近い側の出入口柱の角部に軟質材を設けたことを特徴とするエレベータ安全装置である。
【発明の効果】
【０００９】
この発明のエレベータ安全装置によれば、出入口柱と戸との間の隙間に異物が引き込まれた場合にも、出入口柱に設けた軟質材が異物の挟み込み状況に応じて撓んで変形して衝撃を吸収できるので異物の損傷を防ぐことができるとともに、軟質材は外力を加えれば容易に変形するため、一旦引き込まれた異物を引き抜くことも容易にできるという効果が得られる。
【発明を実施するための最良の形態】
【００１０】
実施の形態１．
図１〜図７には本発明のエレベータ安全装置を備えたエレベータ装置のかご出入口部分を示す。図１はエレベータ装置のかご出入口部分をかご内から見た概略正面図であり、図２は図１の線ＩＩ−ＩＩに沿った概略断面図であり、図３は図１の線ＩＩＩ−ＩＩＩに沿った概略断面図であり、図４は図２の円ＩＶ−ＩＶで囲んだ部分の拡大図であり、図５は戸と出入口柱との間に手指が引き込まれそうになっている様子を示す図４と同様の拡大図であり、図６は本発明のエレベータ安全装置の概略分解図であり、図７は本発明のエレベータ安全装置として戸の後縁に設けた切欠溝とその作用を示す概略図である。
【００１１】
図１〜図３において、エレベータ装置のかご１には両開きスライド型の２枚の戸２によって開閉される出入口開口３が設けられている。出入口開口３は、下縁を形成する床４と、両側縁を形成する２本の出入口柱５と、上縁を形成する上枠６とで形成されている。戸２は、それぞれ上枠６の外側に設けられたドア装置７（図３）により左右に開閉できるように出入口開口３の外側に吊り下げられていて、戸２の下端は敷居８によって案内支持されている。
【００１２】
出入口柱５は、出入口開口３を形成する面即ち出入口に面する出入口対向面９と、戸２の側の面即ち戸２に面する戸対向面１０と、かご１のかご室に面するかご室面１１とを備えている。出入口柱５の戸対向面１０と戸２と間には３ｍｍ〜６ｍｍの隙間Ｇが形成されていて、戸２が出入口柱５や上枠６に触れずに滑らかに開閉できるようにしてある。
【００１３】
このような隙間Ｇがあるため、この隙間Ｇに関連して、異物が隙間Ｇに引き込まれるのを防ぐためのエレベータ安全装置１２が設けられている。このエレベータ安全装置１２は、戸２の開動作時に乗客の手指等の異物が、戸２と出入口柱５の出入口側で戸２に近い側の角部１３との間、即ち出入口対向面９と戸対向面１０との間の角部１３との間で、隙間Ｇに引き込まれてしまうことがないように、あるいは引き込まれそうになっても異物を損傷せずに容易に引き抜くことができるようにするものである。
【００１４】
エレベータ安全装置１２は、出入口側で戸に近い側の出入口柱５の角部１３に設けられた軟質材１４を備えたものである。
【００１５】
図４〜図６に示すように、エレベータ安全装置１２の軟質材１４は、全体として出入口柱５の出入口対向面９に沿って配置された長い帯状の部材であって、ゴム、合成樹脂等の軟質材料で作られている。軟質材１４は、図示の例では、出入口柱５の出入口対向面９に沿って平行に取り付けられた基体部１５と、基体部１５の戸対向面１０側の縁部に沿って設けられ、戸２に向かって延びた可撓性の板状突出部１６とを備えている。板状の突出部１６は図示の例では中空管状部である。
【００１６】
軟質材１４は、図６に良く示されているような取付金具１７によって出入口柱５に取り付けられている。即ち、取付金具１７は、折り曲げ板金加工されて、出入口柱５の出入口対向面９を構成する金属板の内側面に接着剤などで固着された基板１８と、基板１８の長手方向に等間隔に離間して植え込まれて軟質材１４に設けた穴を通されたボルト１９と、複数のボルト１９に装着されてワッシャ２４を介してナット２０で締めつけられて軟質材１４の基体部１５を間に挟んで支持する保持板２１とを備えている。軟質材１４の板状突出部１６は保持板２１と出入口対向面９の金属板との間には保持されておらず、出入口対向面９から戸２に向かって突出している。
【００１７】
図１あるいは図３に示されているように、出入口柱５の出入口対向面９および戸対向面１０は、角部１３において、上下２０ｍｍ〜３０ｍｍを除いて切欠部２２を備えている。切欠部２２からは軟質材１４の板状突出部１６が突出して戸２に向かって延びていて、板状突出部１６と戸２の間には隙間Ｇと同じ大きさの隙間が形成されている。
【００１８】
この発明のエレベータ安全装置によれば、戸２の開方向移動時の駆動方向に見て後縁には、戸２と出入口柱５の角部１３との間の隙間Ｇを大きくする切欠溝２３が設けられている。切欠溝２３の深さＤ即ち隙間Ｇと同じ方向の寸法は、隙間Ｇに手指等の異物が挟まったとしても、異物がこの切欠溝２３に受け入れられたときに切欠溝２３の深さＤが充分に大きくて異物が鋏み込まれないで引き込み現象が解消するような大きさである。
【００１９】
このようなエレベータ安全装置を備えたエレベータ装置において、図５に示すように、乗客の手指等の異物Ｆが戸２の開動作とともに戸２によって隙間Ｇ内に引き込まれたとしても、この発明のエレベータ安全装置１２によれば、軟質材１４が手指Ｆに柔らかく接触しながら僅かな力で柔軟に撓むので、手指Ｆに衝突による損傷を与えることもなく、また僅かな力で引き抜くことができる。また戸２あるいは出入口柱５に異物Ｆによる損傷を与える虞もない。
【００２０】
図７には、本発明のエレベータ安全装置として、戸２の後縁に設けた切欠溝２３とその作用を概略図で示してある。切欠溝２３は、戸２の開方向に見て後縁の端面とかご室内に面する面との間の角部に設けてあり、この切欠溝２３が出入口柱５に対向したときに、戸２と出入口柱５との間の隙間Ｇを大きくなるような形状にしてある。このような切欠溝２３を設けると、戸２の開動作途中で一旦引き込まれた手指Ｆが抜けないまま、戸２が更に開位置に移動して図７に示す位置に達したときには、戸２の開方向に見て後縁に設けた切欠溝２３が手指Ｆを受け入れることになり、隙間Ｇの引き込み作用が解消して手指Ｆは解放されて自由になる。
【００２１】
以上に説明した実施の形態においては、本発明のエレベータ安全装置をかご１の出入口開口３に適用した例であるが、乗場の出入口開口にも同様に適用できる。
【図面の簡単な説明】
【００２２】
【図１】エレベータ装置のかご出入口部分をかご内から見た概略正面図である。
【図２】図１の線ＩＩ−ＩＩに沿った概略断面図である。
【図３】図１の線ＩＩＩ−ＩＩＩに沿った概略断面図である。
【図４】図２の円ＩＶ−ＩＶで囲んだ部分の拡大図である。
【図５】戸と出入口柱との間に手指が引き込まれそうになっている様子を示す図４と同様の拡大図である。
【図６】エレベータ安全装置の概略分解図である。
【図７】エレベータ安全装置として戸の後縁に設けた切欠溝とその作用を示す概略図である。
【符号の説明】
【００２３】
１  エレベータ安全装置、２  戸、３  出入口開口、４  床、５  出入口柱、６  上枠、７  ドア装置、８  敷居、９  出入口対向面、１０  戸対向面、１１  室面、１２  エレベータ安全装置、１３  角部、１４  軟質材、１５  基体部、１６  板状突出部、１７  取付金具、１８  基板、１９  ボルト、２０  ナット、２１  保持板、２２  切欠部、２３  切欠溝、２４  ワッシャ。
【図１】
2009166920.tif 000003
【図２】
2009166920.tif 000004
【図３】
2009166920.tif 000005
【図４】
2009166920.tif 000006
【図５】
2009166920.tif 000007
【図６】
2009166920.tif 000008
【図７】
2009166920.tif 000009